(57)【要約】【課題】成形時に荷重支持体の梁にヒケが生じても外部からの見栄えの低下を招くことのない椅子を提供する。【解決手段】荷重支持体の左右一対の梁である側辺７ｃは、略左右方向に延出幅を持つ側辺本体部７ｃ−１と、側辺本体部７ｃ−１の幅方向の一端から荷重受体側に向かって突出する補強リブ７ｃ−２と、を有する。側辺本体部７ｃ−１は、補強リブ７ｃ−２が形成される幅方向の一側から他側に向かって前後方向の厚みが漸減する断面形状に形成する。側辺本体部７ｃ−１の後面の補強リブ７ｃ−２の突設部分に対応する部分にヒケが生じても、そのヒケが急激に深くならない。【選択図】図１０
2015084928.tif 000002
【特許請求の範囲】
【請求項１】
着座者の身体の荷重を受け止める荷重受体と、
該荷重受体の背面側に配置されて当該荷重受体を支持する左右一対の梁を有する荷重支持体と、を有し、
前記梁が樹脂材料によって成形されている荷重支持構造体を備える椅子において、
前記梁は、略左右方向に延出幅を持つ梁本体部と、該梁本体部の幅方向の一端から前記荷重受体側に向かって突出する補強リブと、を有し、
前記梁本体部は、前記補強リブが形成される幅方向の一側から他側に向かって厚みが漸減する断面形状に形成されていることを特徴とする椅子。
【請求項２】
前記梁本体部の背面は、背部側に向かって凸となる湾曲形状に形成されていることを特徴とする請求項１に記載の椅子。
【請求項３】
前記荷重支持構造体は、上下方向に延出する背凭れ部であり、前記梁は、下端部側で椅子本体に支持されるとともに、前記梁本体部の下部領域側の幅が上部領域側の幅よりも広く、かつ、前記補強リブの下部領域側の突出高さが上部領域側の突出高さよりも高く形成されていることを特徴とする請求項１または２に記載の椅子。
【請求項４】
前記梁は、上下方向の中央よりも下方の領域において、前方側に凸に湾曲、若しくは屈曲する前方突出部を有していることを特徴とする請求項３に記載の椅子。
【発明の詳細な説明】
【技術分野】
【０００１】
この発明は、背凭れ部や座体等の荷重支持構造体を備えた椅子に関するものである。
【背景技術】
【０００２】
事務用等として用いられる椅子として、着座者の背部の荷重を受け止める荷重受体が、椅子本体部に連結された荷重支持体の前面側に支持される構造のものがある。また、この種の椅子として、荷重支持体が、樹脂材料によって枠状に形成されたものが知られている（例えば、特許文献１〜３参照）。
【０００３】
特許文献１に記載の椅子は、荷重支持体の左右の縦梁が前後方向の略中央が側方に膨出する断面形状に形成され、前方側の荷重受体から入力される荷重を高い剛性をもって受け止められるようになっている。
【０００４】
また、特許文献２，３に記載の椅子は、荷重支持体の左右の縦梁が、一定厚みの梁本体部と、その梁本端部を補強する補強リブを有している。梁本体部は略左右方向に延出幅を有し、その前面側で荷重受体を支持するようになっている。また、補強リブは、梁本体部の適所の前面から前方側に突出し、梁本体部の曲げ剛性や捩れ剛性を高められるようになっている。
【先行技術文献】
【特許文献】
【０００５】
【特許文献１】特許第５００５１６７号公報
【特許文献２】特開２０１１−０９２５３７号公報
【特許文献３】特開２０１１−１３１０１９号公報
【発明の概要】
【発明が解決しようとする課題】
【０００６】
しかしながら、特許文献１に記載の椅子は、荷重支持体の縦梁が前後方向の略中央で側方に膨出する断面形状とされているため、縦梁を型成形する際に、成形樹脂の冷却収縮によって膨出部分の製品面にヒケが生じ易い。
これに対し、特許文献２，３に記載の椅子は、縦梁の梁本体部が一定厚みであることから、特許文献１に記載の形状のものに比較すればヒケは生じにくくなる。しかし、梁本体部の前面側には補強リブが部分的に突設されている部位があり、その補強リブの突設された部位の後面側にはヒケが生じる可能性が残る。特に、梁本体部の後面が椅子の外側から見える面である場合には、僅かなヒケの発生が製品の見栄えを低下させる原因となり易い。
【０００７】
そこでこの発明は、成形時に荷重支持体の梁にヒケが生じても外部からの見栄えの低下を招くことのない椅子を提供しようとするものである。
【課題を解決するための手段】
【０００８】
この発明に係る椅子は、着座者の身体の荷重を受け止める荷重受体と、該荷重受体の背面側に配置されて当該荷重受体を支持する左右一対の梁を有する荷重支持体と、を有し、前記梁が樹脂材料によって成形されている荷重支持構造体を備える椅子において、前記梁は、略左右方向に延出幅を持つ梁本体部と、該梁本体部の幅方向の一端から前記荷重受体側に向かって突出する補強リブと、を有し、前記梁本体部は、前記補強リブが形成される幅方向の一側から他側に向かって厚みが漸減する断面形状に形成されていることを特徴とするものである。
この発明の場合、梁の成形時に、梁本体部の補強リブの突設部分の背面側にヒケが生じることがあっても、梁本体部の補強リブの突設部分の近傍はその突設部分に向かって肉厚となっていることから、急激に深くなるヒケは生じにくい。また、梁本体部は、補強リブが形成される幅方向の一側から他側に向かって厚みが漸減する断面形状に形成されていることから、高い剛性を要求されるために補強リブを設ける必要のある梁本体部の一側寄りの肉厚が充分に厚くなる。一方、梁本体部の他側寄りの肉厚が薄くなっても、梁本体部の他側は高い剛性を要求されないため、梁本体部の強度上の不都合は生じない。
【０００９】
前記梁本体部の背面は、背部側に向かって凸となる湾曲形状に形成されていることが望ましい。
この場合、梁本体部の背面側にヒケが生じても、その背面が、面方向が連続的に変化する湾曲形状であることから、平面である場合に比較してヒケによる外面形状の変化が目立ちにくくなる。また、梁本体部の背面が後方側に向かって凸となる湾曲形状に形成されていることから、その背面の凸となる方向とヒケによる凹となる向きが逆向きとなり、両者の凹凸が相殺されてより目立ちにくくなる。
【００１０】
前記荷重支持構造体は、上下方向に延出する背凭れ部であり、前記梁は、下端部側で椅子本体に支持されるとともに、前記梁本体部の下部領域側の幅が上部領域側の幅よりも広く、かつ、前記補強リブの下部領域側の突出高さが上部領域側の突出高さよりも高く形成されていることが望ましい。
この場合、梁本体部の下部領域側の幅が上部領域側の幅よりも広く、かつ、前記補強リブの下部領域側の突出高さが上部領域側の突出高さよりも高く形成されているため、椅子本体に支持される梁の下部領域の剛性が高くなり、梁全体の強度が効率良く高められる。
【００１１】
前記梁は、上下方向の中央よりも下方の領域において、前方側に凸に湾曲、若しくは屈曲する前方突出部を有する形状としても良い。
この場合、前方突出部による前後方向の曲げ補強機能も相俟って、梁の下部領域の剛性がより高まる。
【発明の効果】
【００１２】
この発明によれば、梁本体部が、補強リブが形成される幅方向の一側から他側に向かって厚みが漸減する断面形状に形成されていることから、梁本体部の背面の補強リブの突設部分に対応する部分にヒケが生じても、そのヒケが急激に深くなることがない。このため、外部からの見栄えの低下を防止することができる。
【図面の簡単な説明】
【００１３】
【図１】この発明の一実施形態の椅子の側面図である。
【図２】この発明の一実施形態の椅子の平面図である。
【図３】この発明の一実施形態の椅子の背面図である。
【図４】この発明の一実施形態の椅子の背面側斜視図である。
【図５】この発明の一実施形態の椅子の背凭れ部を後部下方から見た斜視図である。
【図６】この発明の一実施形態の椅子の背板を後部下方から見た斜視図である。
【図７】この発明の一実施形態の椅子の背板支持枠を前部下方から見た斜視図である。
【図８】この発明の一実施形態の椅子の図５のＶＩＩＩ−ＶＩＩＩ断面に対応する断面図である。
【図９】この発明の一実施形態の椅子の図５のＩＸ−ＩＸ断面に対応する断面図である。
【図１０】この発明の一実施形態の椅子の図５のＸ−Ｘ断面に対応する断面図である。
【図１１】この発明の一実施形態の椅子の図５のＸＩ−ＸＩ断面に対応する断面図である。
【図１２】比較例の成形金型と成形体の断面を示す図（Ａ）と、この発明の一実施形態の成形金型と成形体の断面を示す図（Ｂ）を併せて記載した図である。
【発明を実施するための形態】
【００１４】
以下、この発明の一実施形態を図面に基づいて説明する。なお、以下の説明においては、椅子に正規姿勢で着座した人の正面が向く図中矢印ＦＲの指す向きを「前」と呼び、それと逆側の向きを「後」と呼ぶものとする。また、「上」，「下」と「左」，「右」については、椅子に正規姿勢で着座した人の上方の図中矢印ＵＰの指す向きを「上」、それと逆側の向きを「下」と呼び、椅子に正規姿勢で着座した人の左側の図中矢印ＬＨの指す向きを「左」、それと逆側の向きを「右」と呼ぶものとする。
【００１５】
図１，図２は、この実施形態の椅子１の側面図と平面図であり、図３，図４は、この実施形態の椅子１の背面図と背面側斜視図である。
これらの図に示すように、この実施形態の椅子１は、フロア上に載置される脚部２と、脚部２の上端に設置されるボックス状の支基３と、着座者が着座する座体４と、支基３の上面に取り付けられ座体４を支持する座受部材５と、支基３から後部上方側に延出して座体４に着座した着座者の背部を支持する背凭れ部５０と、を備えている。この実施形態においては、脚部２、支基３、座受部材５、及び、座体４が椅子本体を構成している。
【００１６】
脚部２は、キャスタ９ａ付きの多岐脚９と、多岐脚９の中央部より起立し昇降機構であるガススプリングを内蔵する脚柱１０と、を備え、脚柱１０の上端部に支基３が水平方向に回転可能に取り付けられている。支基３には、脚柱１０の昇降調整機構と背凭れ部５０の傾動調整機構が内蔵されている。
【００１７】
座体４は、骨格部を成す座板１３と、座板１３の上部に取り付けられる座本体１４と、を備えている。座本体１４は、詳細な図示は省略するが、座板１３の外周縁部に取り付けられる座枠（図示せず）と、座板１３の上面に設置されるウレタン等から成るクッション材（図示せず）と、座枠に張設されてクッション材の上方側を覆う合成樹脂製の張材１５と、を備えている。
【００１８】
背凭れ部５０は、前端部が支基３内の傾動調整機構に連結され、支基３の後端部から斜め後部上方側に向かって延出する連結ステー１７と、連結ステー１７の後端部に連結され、連結ステー１７から上方に立ち上がるように延出する矩形枠状の背受支持体７（荷重支持体）と、背受支持体７の前面側に支持されて座体４に着座した着座者の背部を支持する背受体６（荷重受体）と、を備えている。背受支持体７は、背受体６に入力された着座者の背部の荷重を、連結ステー１７を介して椅子本体部側に支持させるための強度部品であるため、剛性及び強度の充分に高い合成樹脂によって形成されている。この実施形態においては、背凭れ部５０が荷重支持構造体を構成している。
なお、図１中、符号１１は、支基３上における背凭れ部５０の枢支軸であり、符号１２は、支基３の側面に突設された傾動調整機構の操作ノブである。
【００１９】
背凭れ部５０の背受体６は、縦長の矩形枠状の背板枠１８と、その背板枠１８に、背板枠１８の内側の開口１８ｄを覆うように張設された張材１９と、を備えている。背板枠１８は、弾性を有する合成樹脂によって一体に形成され、張材１９は、伸縮性を有する合成樹脂製繊維がメッシュ状に編まれて形成されている。張材１９は比較的高い張力をもって背板枠１８に張設され、座体４に着座した着座者の背部と接触して着座者の背部の荷重を直接受け止めるようになっている。なお、張材１９の外周端部は、背板枠１８の外周端面に形成された図示しない保持溝内に適宜手段によって係止固定されている。
【００２０】
図５は、背凭れ部５０の上半部を示す図であり、図６は、背受体６の単体の上半部を示す図である。また、図７は、背受支持体７の単体の上半部を示す図であり、図８は、図５の背凭れ部５０のＶＩＩＩ−ＶＩＩＩ断面に対応する断面を示す図である。なお、図５，図６，図８においては、背受体６の背板枠１８に取り付けられる張材１９は図示都合上省略されている。
これらの図にも示すように、背受体６の背板枠１８は、正面視では四隅が丸みを帯びた縦長の略矩形状に形成され、側面視では、高さ方向の下から３分の１程度の高さ位置が前方側に最も膨出するように湾曲して形成されている。背板枠１８の上辺１８ａは上部後方側に向かって水平方向に近づくように大きく傾斜している。また、背板枠１８は、図２に示すように、平面視では左右方向の中央領域が後方側に若干窪むように湾曲している。背板枠１８の前方側に最も膨出する領域は、座体４に着座した着座者のほぼ腰部付近を支持する領域に設定されている。以下、背板枠１８の前方側に最も膨出する部位を「前方突出部２０」と呼ぶものとする。
また、背板枠１８の周縁部のほぼ全域の前面は、開口１８ｄの内側から外側に向かって後部側に滑らかに傾斜している。
【００２１】
一方、背受支持体７は、背面視（正面視）では下方側が若干窄まった縦長の略矩形枠状に形成されている。より正確には、図３に示すように左右の側辺７ｃ（縦梁部）の上半部は相互に略平行になるように上下方向に延出し、左右の側辺７ｃ（縦梁部）の下半部は、下方に向かって次第に離間幅が狭まるように傾斜している。そして、左右の側辺７ｃの上端部同士は、左右方向に略水平に延出する上辺７ａによって連結され、左右の側辺７ｃの下端部同士は、上辺７ａよりも延出長さの短い下辺７ｂによって連結されている。背受支持体７の上辺７ａと下辺７ｂは肉厚のブロック状に形成され、左右両側の側辺７ｃは薄肉の板状に形成されている。この実施形態においては、両側の側辺７ｃが背受支持体７（荷重支持体）の左右一対の張を構成している。
【００２２】
背受体６の背板枠１８は、上辺１８ａの左右方向に離間した３箇所と下辺１８ｂの中央の１箇所で背受支持体７に固定されている。具体的には、図３に示すように、背板枠１８の上辺１８ａは、後述する係合突起２２による係止によって背受支持体７の上辺７ａに固定され、背板枠１８の下辺１８ｂは、ボルト２３による締結によって背受支持体７の下辺７ｂに固定されている。
【００２３】
背受支持体７は、側面視では、側辺７ｃの高さ方向の下から３分の１程度の高さ位置が前方側に最も膨出するように前方側に凸に湾曲、若しくは屈曲して形成されている。この最も前方に膨出する前方突出部２１は、背板枠１８の前方突出部２０とほぼ対応した位置に設定されている。ただし、背受支持体７の前方突出部２１の膨出高さは、背板枠１８の前方突出部２０の膨出高さよりも低く設定されている。
【００２４】
背受支持体７の左右の側辺７ｃの前方突出部２１と背板枠１８の前方突出部２０の間には、背板枠１８の前方突出部２０の膨出高さを変えることによって背受体６の側縁の湾曲形状を変更する形状変更機構２４が介装されている。なお、図中符号２４ａは、形状変更機構２４の操作レバーである。
【００２５】
ところで、背板枠１８の上辺１８ａの後面１８ａ−１には、図６に示すように、３つの係合突起２２が左右方向に等間隔に離間して突設され、背受支持体７の上辺７ａの前面７ａ−１のうちの、背板枠１８の各係合突起２２に対応する位置には、図７に示すように、係合突起２２が挿入される３つの挿入孔２５が形成されている。
背板枠１８に突設される各係合突起２２は、図８にも示すように、上下方向の厚みに対し突出方向の長さと左右方向の幅が広い矩形板状の挿入板部２２ａと、挿入板部２２ａの先端部に接続されて左右方向に張り出す張り出し係止部２２ｂと、を備えている。張り出し係止部２２ｂは、挿入板部２２ａと同厚みの板状に形成されている。張り出し係止部２２ｂと挿入板部２２ａの幅方向の中央位置には、長孔状の肉抜き孔３０が連続して形成されている。
【００２６】
背受支持体７の上辺７ａの下面には、図５に示すように上方側に向かって凹状に窪む３つの開口部３１が設けられている。これらの開口部３１は、各挿入孔２５に対応して設けられ、各底部内に対応する挿入孔２５が連通するようになっている。開口部３１の底部は挿入孔２５の左右方向の幅よりも広く形成され、係合突起２２が背受支持体７の前方側から挿入孔２５に挿入されたときに、係合突起２２の張り出し係止部２２ｂが開口部３１の底部内に収容されるようになっている。開口部３１の底部前方側に開口する挿入孔２５の開口縁は、挿入孔２５から突出した張り出し係止部２２ｂと係合して係合突起２２の抜けを規制する抜け規制部２９を構成している。
背受体６（背板枠１８）の上辺１８ａと背受支持体７の上辺７ａとは、係合突起２２が挿入孔２５内に挿入され、係合突起２２の張り出し係止部２２ｂが抜け規制部２９と係合することによって相互に連結されている。
【００２７】
また、背受支持体７の上辺７ａの下面のうちの幅方向の中央領域には、背受支持体７の上辺７ａの中央部を後方から把手として把持するときに、指先を掛けるための窪み部３２が形成されている。また、背受支持体７の上辺７ａの下面のうちの、窪み部３２の前方側には、窪み部３２の開口縁に対して上方側に窪む段差部３３が形成されている。
なお、背受支持体７の上辺７ａの後面には、ヘッドレスト等の追加機能部品を係止固定するための係止凹部３５が形成されている。この係止凹部３５は、追加機能部品を取り付けない場合には、図２〜図４に示すように閉塞キャップ４０によって塞がれる。
【００２８】
ところで、背受支持体７の略上下方向に延出する左右の梁である側辺７ｃは、図５，図７に示すように、略左右方向に延出幅を持つ側辺本体部７ｃ−１（梁本体部）と、側辺本体部７ｃ−１の幅方向内側の端部から前方側に向かって（背受体６側に向かって）突出する補強リブ７ｃ−２と、を有している。
【００２９】
図９，図１０，図１１は、図５のＩＸ−ＩＸ，Ｘ−Ｘ，ＸＩ−ＸＩ断面に対応する断面を示す図である。
これらの図に示すように、側辺本体部７ｃ−１は、前方側に向かって突出する補強リブ７ｃ−２と鋭角を成すように椅子幅方向の内側から外側に向かって前方側に傾斜している。そして、側辺本体部７ｃ−１は、補強リブ７ｃ−２が形成される椅子幅方向の内側（一側）から外側（他側）に向かって前後方向の厚みが漸減する断面形状に形成されている。即ち、側辺本体部７ｃ−１は、椅子幅方向の内側の肉厚が最も厚く、外側に向かうにしたがって肉厚が次第に薄くなっている。また、側辺本体部７ｃ−１の後面は、椅子幅方向の内側の端部から外側の端部に向かって後方側が凸となる湾曲形状とされている。
【００３０】
図９，図１０，図１１に示すように、側辺本体部７ｃ−１の斜め前方側への延出幅（Ｌ１，Ｌ２，Ｌ３）は、上下方向の全域で一定ではなく、上方から下方に向かって広がっている（Ｌ１＜Ｌ２＜Ｌ３）。同様に、補強リブ７ｃ−２の前方側への突出高さ（Ｈ１，Ｈ２，Ｈ３）は、上方から下方に向かって高くなっている。このように上方から下方に向かって断面形状が次第に拡大する背受支持体７の左右の側辺７ｃは、図３，図４に示すように、これらの下端部が肉厚ブロック状の下辺７ｂで相互に連結され、その下辺７ｂが連結ステー１７（図１参照）を介して椅子本体に支持されるようになっている。
【００３１】
ところで、背受支持体７の左右の各側辺７ｃは、前述のように上下方向の中央よりも下方の領域（側辺７ｃの高さ方向の下から３分の１程度の高さ位置）に前方側に凸に突出する前方突出部２１を有している。この前方突出部２１には、図４に示すように、形状変更機構２４が取り付けられるため、前方突出部２１に位置される補強リブ７ｃ−２には、形状変更機構２４の保持するための保持片７ｃ−３がさらに前方側に膨出するように一体成形されている。
【００３２】
以上のように、この実施形態の椅子１は、背受支持体７の略上下方向に延出する左右の側辺７ｃが、補強リブ７ｃ−２の形成される椅子幅方向の内側から外側に向かって前後方向の厚みが漸減する断面形状に形成されているため、背受支持体７の型成形時に、側辺本体部７ｃ−１の後面の補強リブ７ｃ−２の突設部分に対応する部分にヒケが生じても、そのヒケは局部的に急激に深くなることはなく、外部からは目立たない。
以下、このヒケが局部的に急激に深くならない原理について説明する。
【００３３】
図１２は、背受支持体７の側辺７ｃ部分の型成形時の様子を比較例と併せて示した図であり、図１２（Ａ）は、比較例の型成形時の様子を示し、図１２（Ｂ）は、この実施形態の場合における型成形時の様子を示している。なお、比較例の背受支持体７Ａの側壁７Ａｃは、この実施形態と同様に側辺本体部７Ａｃ−１の一端側に補強リブ７Ａｃ−２が突設されているが、側辺本体部７Ａｃ−１の肉厚は一側から他側に向かって漸減せずに一定厚みとなっている。
図１２（Ａ）に示す比較例の場合、金型６０ＡのキャビティＣ内に射出された樹脂材料が温度の降下とともに凝固すると、側辺本体部７Ａｃ−１の後面のうちの補強リブ７Ａｃ−２の突設部に対応する部分に急激に深くなるヒケＳが発生し易くなる。ヒケＳは、通常、肉厚部分ほど生じ易くなるが、側辺本体部７Ａｃ−１の全域の肉厚が均一厚みであることから、側辺本体部７Ａｃ−１のなかの補強リブ７Ａｃ−２の突設される部分と、その隣接部分とでは境界部Ｐを挟んで前後方向の総厚みに大きな差が生じる。この総厚みの差が、ヒケＳを急激に深くする原因と考えられる。
これに対し、図１２（Ｂ）に示すこの実施形態では、金型６０のキャビティＣ内に射出された樹脂材料が温度の降下とともに凝固すると、側辺本体部７ｃ−１の後面のうちの補強リブ７ｃ−２の突設部に対応する部分にヒケＳが生じることがあっても、そのヒケＳは側辺本体部７ｃ−１の他側に向かって緩やかに浅くなる。この実施形態の背受支持体７の側辺７ｃは、補強リブ７ｃ−２の形成される一側から他側に向かって前後方向の厚みが漸減する断面形状に形成されているため、側辺本体部７ｃ−１のなかの補強リブ７ｃ−２の突設される部分と、その隣接部との間の肉厚差が小さく、しかも、肉厚が他側に向かって緩やかに漸減している。このため、ヒケＳが発生しても、そのヒケＳは側辺本体部７ｃ−１の他側に向かって緩やかに浅くなる。
【００３４】
また、この実施形態の椅子１は、上述のように背受支持体７の側辺７ｃが、補強リブ７ｃ−２の形成される椅子幅方向の内側から外側に向かって前後方向の厚みが漸減する断面形状に形成されているため、高剛性を要求される側辺７ｃの椅子幅方向の内側領域においては、肉厚を厚くして補強リブ７ｃ−２との協働によって充分に高い剛性を確保することができるとともに、さして剛性を要求されない側辺７ｃの椅子幅方向の外側領域においては、肉厚を薄くして全体の軽量化を図ることができる。
【００３５】
さらに、この実施形態の場合、背受支持体７の側辺７ｃについては、側辺本体部７ｃ−１の後面が、後部側に向かって凸となる湾曲形状に形成されていることから、側辺本体部７ｃ−１の後面にヒケが生じても、面方向がもともと連続的に変化する部位にヒケが現れることになるために、側辺本体部７ｃ−１の後面が平面である場合に比較してヒケが外部から目立ちにくくなる。
特に、この実施形態では、側辺本体部７ｃ−１の後面が後部側に向かって凸となる湾曲形状であることから、後面の凸となる方向とヒケによって凹となる向きが逆向きとなり、両者の凹凸が相殺されてより目立ちにくくなる。
【００３６】
また、この実施形態の椅子１においては、背受支持体７の両側の側辺７ｃの下端が椅子本体に支持されるとともに、側辺７ｃの側辺本体部７ｃ−１の下部領域側の延出幅が上部領域側の延出幅よりも広く、かつ、補強リブ７ｃ−２の下部領域側の突出高さが上部領域側の突出高さよりも高くなっているため、椅子本体に支持される側辺７ｃの下部領域の剛性が高くなり、側辺７ｃ全体の強度が効率良く高められる。したがって、この椅子１においては、背受支持体７の過大な重量増加を招くことなく、背凭れ部５０の支持剛性と強度を高めることができる。
【００３７】
特に、この実施形態の椅子１の場合、背受支持体７の両側の側辺７ｃの上下方向の中央よりも下方領域に、前方側に凸に湾曲、若しくは屈曲する前方突出部２１が設けられているため、前方突出部２１による前後方向の曲げ補強機能も相俟って、両側の側辺７ｃの下部領域の剛性をより一層高めることができる。
【００３８】
なお、この発明は上記の実施形態に限定されるものではなく、その要旨を逸脱しない範囲で種々の設計変更が可能である。例えば、上記の実施形態においては、背板枠１８に張材１９が張設されて背受体６が構成されているが、背受体は、内側に大きな開口のない板状部材にクッション材と張材を付設した構造や、柔軟性を有する板状部材の単体から成る構造であっても良い。
また、上記の実施形態は、荷重支持構造体が背凭れ部である実施形態であるが、荷重支持構造体は座体であっても良い。
【符号の説明】
【００３９】
１  椅子
６  背受体（荷重受体）
７  背受支持体（荷重支持体）
７ｃ  側辺（梁）
７ｃ−１  側辺本体部
７ｃ−２  補強リブ
２１  前方突出部
５０  背凭れ部（荷重支持構造体）
【図１】
2015084928.tif 000003
【図２】
2015084928.tif 000004
【図３】
2015084928.tif 000005
【図４】
2015084928.tif 000006
【図５】
2015084928.tif 000007
【図６】
2015084928.tif 000008
【図７】
2015084928.tif 000009
【図８】
2015084928.tif 000010
【図９】
2015084928.tif 000011
【図１０】
2015084928.tif 000012
【図１１】
2015084928.tif 000013
【図１２】
2015084928.tif 000014